(57)【要約】【課題】所望の機器にアドレスを設定しながら、その機器の設置位置を簡単且つ正確に設定できるようにする。【解決手段】施設内の各種機器の配置を示す下地となる図面情報と施設内に設置する各種機器に対するアドレス情報をエンジニアリングツール５から携帯端末６にダウンロードする。例えば、機器情報として、部屋２−１における温度センサＴ１の機器情報を設定したいとする。この場合、携帯端末６の画面に、部屋２−１を含む平面図を表示させる。そして、その平面図上に、温度センサの機器シンボルを移動させて、部屋２−１における温度センサＴ１の設置位置を特定する。また、温度センサＴ１に対するアドレスを選択指定し、その選択指定したアドレスを携帯端末６から実際の温度センサＴ１に設定する。平面図上で特定した温度センサＴ１の設置位置は、温度センサＴ１に対して設定したアドレスと対応づけて、携帯端末６内の図面情報に書き込まれる。【選択図】  図１
2005157837.tif 000002
【特許請求の範囲】
【請求項１】
施設内の各種機器の配置を示す下地となる図面情報を基に所要の図面を携帯端末の画面に表示する工程と、
前記図面上に所望の機器に対応する機器シンボルを移動させてその機器の設置位置を特定する工程と、
前記図面上で設置位置を特定した所望の機器に前記携帯端末からアドレスを設定する工程と、
前記図面上で特定した所望の機器の設置位置をその機器に対して設定したアドレスと対応づけて前記図面情報に付加する工程と
を備えたことを特徴とする機器情報設定方法。
【請求項２】
施設内の各種機器の配置を示す下地となる図面情報および施設内に設置する各種機器に対するアドレス情報を携帯端末にダウンロードする工程と、
前記図面情報を基に所要の図面を前記携帯端末の画面に表示する工程と、
前記図面上に所望の機器に対応する機器シンボルを移動させてその機器の設置位置を特定する工程と、
前記アドレス情報から任意のアドレスを選択指定する工程と、
前記図面上で設置位置を特定した所望の機器に前記選択指定したアドレスを前記携帯端末から設定する工程と、
前記図面上で特定した所望の機器の設置位置をその機器に対して設定したアドレスと対応づけて前記携帯端末内の図面情報に付加する工程と
を備えたことを特徴とする機器情報設定方法。
【請求項３】
施設内の各種機器の配置を示す下地となる図面情報をデータベースに記憶させる工程と、
ネットワークを介して前記データベースアクセスし、このデータベースに格納されている図面情報を基に所要の図面を携帯端末の画面に表示する工程と、
前記図面上に所望の機器に対応する機器シンボルを移動させてその機器の設置位置を特定する工程と、
前記図面上で設置位置を特定した所望の機器に対するアドレスを自動生成し前記ネットワークを介して前記携帯端末に送る工程と、
前記図面上で設置位置を特定した所望の機器に前記ネットワークを介して送られてきたアドレスを前記携帯端末から設定する工程と、
前記図面上で特定した所望の機器の設置位置をその機器に対して設定したアドレスと対応づけて前記データベース内の図面情報に付加する工程と
を備えたことを特徴とする機器情報設定方法。
【請求項４】
施設内の各種機器の配置を示す下地となる図面情報を基に所要の図面を画面上に表示する手段と、
前記図面上の任意の位置に移動可能な各種機器の機器シンボルを表示する手段と、
前記図面上に所望の機器に対応する前記機器シンボルを移動させて特定された位置をその機器の設置位置として記憶する手段と、
前記図面上で設置位置が特定された所望の機器にアドレスを設定する手段と、
前記図面上で特定された所望の機器の設置位置をその機器に対して設定されたアドレスと対応づけて前記図面情報に付加する手段と
を備えたことを特徴とする機器情報設定装置。
【請求項５】
施設内の各種機器の配置を示す下地となる図面情報および施設内に設置する各種機器に対するアドレス情報を上位装置からダウンロードする手段と、
前記上位装置からダウンロードした図面情報を基に所要の図面を画面上に表示する手段と、
前記画面上の任意の位置に移動可能な各種機器の機器シンボルを表示する手段と、
前記図面上に所望の機器に対応する前記機器シンボルを移動させて特定された位置をその機器の設置位置として記憶する手段と、
前記アドレス情報から任意のアドレスを選択指定する手段と、
前記図面上で設置位置が特定された所望の機器に前記選択指定されたアドレスを設定する手段と、
前記図面上で特定された所望の機器の設置位置をその機器に対して設定されたアドレスと対応づけて前記上位装置からダウンロードした図面情報に付加する手段と
を備えたことを特徴とする機器情報設定装置。
【請求項６】
施設内の各種機器の配置を示す下地となる図面情報が格納されたデータベースにネットワークを介してアクセスし、このデータベース内の図面情報を基に所要の図面を画面に表示する手段と、
前記画面上の任意の位置に移動可能な各種機器の機器シンボルを表示する手段と、
前記図面上に所望の機器に対応する前記機器シンボルを移動させて特定された位置をその機器の設置位置として記憶する手段と、
前記図面上で設置位置が特定された所望の機器に対して自動生成されるアドレスを前記ネットワークを介して受信する手段と、
前記図面上で設置位置が特定された所望の機器に前記ネットワークを介して送られてきたアドレスを設定する手段と、
前記図面上で特定された所望の機器の設置位置をその機器に対して設定したアドレスと対応づけて前記データベース内の図面情報に付加する手段と
を備えたことを特徴とする機器情報設定装置。
【発明の詳細な説明】
【技術分野】
【０００１】
この発明は、施設内の各種機器の設置位置やアドレスなどの機器情報を設定する機器情報設定方法および装置に関するものである。
【背景技術】
【０００２】
事務所ビル，商業，ホテル，学校，病院，工場，集合住宅などの施設においては、各種の機器が設けられている。例えば、センサやポンプ，バルブなどの機器が設けられており、これらの機器はコントローラに接続されている。コントローラは、施設内に分散して設けられており、ネットワークを介して管理装置に接続されている（例えば、非特許文献１参照）。
【０００３】
図１４はビル内に構築されたビル管理システムの要部を示す図である。同図において、１−１は部屋２−１に設けられたコントローラ、１−２は部屋２−２に設けられたコントローラ、３はビル内に構築されたネットワーク、４はネットワーク３に接続された管理装置である。部屋２−１には機器として温度センサＴ１，Ｔ２が設置されている。部屋２−２には機器として温度センサＴ３，Ｔ４が設置されている。
【０００４】
部屋２−１において、温度センサＴ１，Ｔ２は、フィールドバスＢＵＳ１を介してコントローラ１−１に接続されている。部屋２−２において、温度センサＴ３，Ｔ４は、フィールドバスＢＵＳ２を介してコントローラ１−２に接続されている。コントローラ１−１は、温度センサＴ１，Ｔ２からの温度データをフィールドバスＢＵＳ１を介して定期的に収集し、収集した温度データをネットワーク３を介して管理装置４へ送る。コントローラ１−２は、温度センサＴ３，Ｔ４からの温度データをフィールドバスＢＵＳ２を介して定期的に収集し、収集した温度データをネットワーク３を介して管理装置４へ送る。
【０００５】
温度センサＴ１〜Ｔ４には、それぞれアドレス（センサアドレス）が設定されており、温度センサＴ１〜Ｔ４からのコントローラ１−１，１−２への温度データには発信元のセンサアドレスが付される。コントローラ１−１，１−２にもそれぞれアドレス（コントローラアドレス）が設定されている。コントローラ１−１，１−２は、収集した温度データに自己のコントローラアドレスを付し、ネットワーク３を介して管理装置４へ送る。
【０００６】
管理装置４は、ネットワーク３を介して送られてくる温度データを受信し、その温度データに付されているコントローラアドレスとセンサアドレスとから、どの部屋のどの温度センサからの温度データであるのかを判断する。例えば、コントローラアドレスが「Ｃ００１」でセンサアドレスが「Ｓ００１」であれば、部屋２−１に設置された温度センサＴ１からの温度データであると判断する。
【０００７】
【非特許文献１】（株）山武  Savemation Review Vol.6 p17-24 1988-6
【発明の開示】
【発明が解決しようとする課題】
【０００８】
上述したビル管理システムにおいて、管理装置４は、送信されてきた温度データがどの部屋のどの温度センサからのものであるのかを判断することができるが、その温度データの計測位置については知ることができない。すなわち、コントローラアドレスが「Ｃ００１」でセンサアドレスが「Ｓ００１」であった場合、部屋２−１に設置された温度センサＴ１からの温度データであることは分かるが、部屋２−１における温度センサＴ１の位置は知ることができない。このため、温度センサからの温度データにその設置位置に応じた重み付けを行うなど、温度センサの設置位置を考慮に入れた高度なビル管理を行うことができなかった。
【０００９】
これに対して、例えば、「部屋の中央」、「部屋の東側」、「部屋の西側」というように、温度センサの設置位置をセンサアドレスに対応づけて管理装置４に記憶させておくことが考えられる。しかしながら、このような方法では、あまりにも大まかであり、正確さに欠ける。
【００１０】
本発明は、このような課題を解決するためになされたもので、その目的とするところは、所望の機器にアドレスを設定しながら、その機器の設置位置を簡単且つ正確に設定することができる機器情報設定方法および装置を提供することにある。
【課題を解決するための手段】
【００１１】
このような目的を達成するために本発明は、施設内の各種機器の配置を示す下地となる図面情報を基に所要の図面を携帯端末の画面に表示する工程と、前記図面上に所望の機器に対応する機器シンボルを移動させてその機器の設置位置を特定する工程と、前記図面上で設置位置を特定した所望の機器に携帯端末からアドレスを設定する工程と、前記図面上で特定した所望の機器の設置位置をその機器に対して設定したアドレスと対応づけて前記図面情報に付加する工程とを設けたものである。
【００１２】
この発明において、施設内の各種機器の配置を示す下地となる図面情報とは、例えばビルの各階の平面図である。この図面情報を基に所要の図面を携帯端末の画面に表示させる。例えば、本発明において、機器情報として、部屋ＮＯ．１における温度センサＴ１の機器情報を設定したいものとする。この場合、携帯端末の画面に、部屋ＮＯ．１を含む平面図を表示させる。そして、その平面図上に、所望の機器に対応する機器シンボル（この例では、温度センサの機器シンボル）を移動させて、部屋ＮＯ．１における温度センサＴ１の設置位置を特定する。また、設置位置を特定した温度センサＴ１に対して、携帯端末からアドレスを設定する。平面図上で特定した温度センサＴ１の設置位置は、その温度センサＴ１に対して設定したアドレスと対応づけて図面情報に付加される。なお、本発明は、上述した方法を適用した装置（携帯端末）としても構成することができる。
【発明の効果】
【００１３】
本発明によれば、携帯端末を使用し、施設内の所望の機器にアドレスを設定しながら、その機器の設置位置を図面情報中に簡単且つ正確に設定することができるようになり、例えば温度センサからの温度データにその設置位置に応じた重み付けを行うなど、施設内の機器の設置位置を考慮に入れた高度な管理を行うことが可能となる。
【発明を実施するための最良の形態】
【００１４】
以下、本発明を図面に基づいて詳細に説明する。
〔実施の形態１：ネットワーク稼働前の場合〕
図１は本発明に係る機器情報設定方法を実施したビル管理システムの一例（実施の形態１）を示すシステム構成図である。同図において、図１４と同一符号は、図１４を参照して説明した構成要素と同一或いは同等構成要素を示す。
【００１５】
なお、図１は、ネットワーク３に温度センサＴ１〜Ｔ４などの機器を接続する前の状態、すなわちシステムを運用する前の状態を示している。例えば、新設ビルの場合、温度センサＴ１〜Ｔ４や無線センサＴ５の設置は終わっているが、フィールドバスＢＵＳ１，ＢＵＳ２を介するネットワーク３への接続が未だ行われていないことがある。このような状態を本実施の形態では「ネットワーク稼働前」と定義する。なお、以下では、フィールドバスＢＵＳ１，ＢＵＳ２に温度センサＴ１〜Ｔ４を接続する例で説明するが、例えば温度センサＴ５のように無線によってコントローラ１−１に接続する場合もある。
【００１６】
ネットワーク稼働前の場合、例えばパーソナルコンピュータ（パソコン）をエンジニアリグツール５として使用し、このエンジニアリングツール５から図面情報とアドレス情報を携帯端末（ＰＤＡ（Personal Digital Assistant）等）６にダウンロードする。そして、この図面情報とアドレス情報をダウンロードした携帯端末６を用いて、温度センサＴ１〜Ｔ４の機器情報の設定を行う。以下、この携帯端末６を用いた温度センサＴ１〜Ｔ４の機器情報の設定について、図２に示すフローチャートを参照しながら具体的に説明する。
【００１７】
なお、この実施の形態では、図面情報（ビル内の各種機器の配置を示す下地となる情報）としてビルの各階の平面図を、アドレス情報としてビル内に設置する各種機器に対するアドレス（ＩＰアドレス＋管理アドレス）を、それぞれエンジニアリングツール５で作成し、そのハードディスクに記憶させている。
【００１８】
各種機器に対するアドレスのうち、ＩＰアドレスは、「ＩＰ００１」，「ＩＰ００２」・・・・「ＩＰ００ｎ」というように、連続番号とされる。管理アドレスはポジションコードとも呼ばれ、「ＡＡＡ．ＢＢＢ．ＲＲＲ．ＰＰＰ」というように、エリアを示すコード「ＡＡＡ」、ビルを示すコード「ＢＢＢ」、部屋を示すコード「ＲＲＲ」、ポイントを示すコード「ＰＰＰ」とから構成される。例えば、温度センサＴ１に対するアドレスは、ＩＰアドレスが「ＩＰ００１」とされ、管理アドレスが「００１．００１．００１．００１」とされる。
【００１９】
先ず、作業員は、エンジニアリングツール（上位装置）５に携帯端末６を接続し、エンジニアリングツール５から携帯端末６に図面情報とアドレス情報をダウンロードする（ステップ２０１：図３参照）。そして、温度センサＴ１が設置されている部屋２−１まで赴き（図４参照）、携帯端末６の画面に部屋２−１を含む平面図を表示させる（ステップ２０２）。
【００２０】
この部屋２−１を含む平面図の表示は、携帯端末６にダウンロードされている図面情報を基に行われ、作業員は、拡大させたり、縮小させたり、スクロールするなどして、部屋２−１を含む平面図を携帯端末６の画面に表示させる。
【００２１】
図５（ａ）に携帯端末６の画面に表示される部屋２−１を含む平面図の一例を示す。この例では、部屋２−１を含む平面図として、部屋２−１と部屋２−２とを合わせた平面図Ｇ１を表示させている。携帯端末６の画面には、平面図Ｇ１の外側に、温度センサを示す機器シンボルＳ１やポンプを示す機器シンボルＳ２やバルブを示す機器シンボルＳ３などが表示される。
【００２２】
〔温度センサＴ１の機器情報の設定〕
作業員は、携帯端末６の画面上で、部屋２−１に配置されている温度センサＴ１（所望の機器）に対応する機器シンボルを選択する。この場合、温度センサを示す機器シンボルＳ１を選択する。そして、平面図Ｇ１上に、選択した機器シンボルＳ１を移動させて（図５（ｂ）参照）、部屋２−１における温度センサＴ１の設置位置（Ｘ，Ｙ）を特定する（ステップ２０３）。なお、この場合、図５（ｃ）に示すように、平面図Ｇ１中には機器シンボルＳ１のコピーＳ１’が移動され、平面図Ｇ１の外側の機器シンボルＳ１は残る。
【００２３】
そして、作業員は、設置位置を特定した平面図Ｇ１上の温度センサＴ１に対応する機器シンボルＳ１’をダブルクリックする（ステップ２０４）。すると、携帯端末６の画面に、図６（ａ）に示すようなアドレス指定表Ｆ１が表示される（ステップ２０５）。このアドレス指定表Ｆ１の表示は、携帯端末６にダウンロードされているアドレス情報を基に行われ、ビル内に設置する各種機器に対するアドレス（ＩＰアドレス＋管理アドレス）がスクロール可能に表示される。なお、この表示されるアドレスには、付与する予定の機器の機器番号が付されている。
【００２４】
作業員は、携帯端末６の画面に表示されたアドレス指定表Ｆ１において、温度センサＴ１に対するアドレスを選択指定する（ステップ２０６）。そして、携帯端末６を温度センサＴ１に向けて、発信ボタン（図示せず）を押す。すると、その選択指定されたアドレスが温度センサＴ１に送信され、温度センサＴ１に設定される（ステップ２０７：図６（ｂ）参照）。また、これと同時に、平面図Ｇ１上で特定した温度センサＴ１の設置位置（Ｘ，Ｙ）が、アドレスを設定した温度センサＴ１の機器番号を付して携帯端末６内の図面情報に書き込まれる（ステップ２０８：図６（ｃ）参照）。具体的には、機器番号と設定位置のＸ，Ｙアドレスとを対応づけたテーブルが作成される。これにより、温度センサＴ１の設置位置とこの温度センサＴ１に設定したアドレスとが対応づけられる。
【００２５】
このようにして、温度センサＴ１に対するアドレスの設定と図面情報への温度センサＴ１の設置位置の書き込みが終了すると、すなわち温度センサＴ１の機器情報の設定が終了すると、平面図Ｇ１上の温度センサＴ１に対応する機器シンボルＳ１’の表示色が変わり、温度センサＴ１の機器情報の設定が終了したことを知らせる。
【００２６】
以下、同様の作業を繰り返すことにより、温度センサＴ２，Ｔ３，Ｔ４の機器情報の設定を行うことができる。作業員は、温度センサＴ１〜Ｔ４と同様にして、ビル内の全ての機器に対して機器情報の設定を完了すると（ステップ２０９のＹＥＳ）、携帯端末６をエンジニアリングツール５に接続し、携帯端末６内の図面情報をエンジニアリングツール５に渡す（ステップ２１０）。これにより、エンジニアリングツール５内の図面情報は、各種機器の設置位置が設定された図面情報に書き替えられる。
【００２７】
〔実施の形態２：ネットワーク稼働中の場合〕
図７は本発明に係る機器情報設定方法を実施したビル管理システムの他の例（実施の形態２）を示すシステム構成図である。同図において、図１４と同一符号は、図１４を参照して説明した構成要素と同一或いは同等構成要素を示す。なお、図７は、ネットワーク３に温度センサＴ１〜Ｔ４などの機器を接続し、システムを運用している状態を示している。この状態を本実施の形態では「ネットワーク稼働中」と定義する。
【００２８】
この実施の形態２では、ネットワーク３にサーバ機能を有するデータベース７を接続し、このデータベース７に各種機器の機器情報を記憶させておく。このデータベース７に記憶させる各種機器の機器情報は、実施の形態１のエンジニアリングツール５からダウンロードされたものであり、図面情報とアドレス情報とから構成され、その図面情報には各種機器の設置位置が設定されている。
【００２９】
また、この実施の形態２において、管理装置４は、データベース７に格納されている各種機器の機器情報を利用して、機器の設置位置を考慮に入れた管理を行う。例えば、温度センサからの温度データにその設置位置に応じた重み付けを行うなど、ビル内の機器の設置位置を考慮に入れた高度な管理を行う。
【００３０】
〔機器の追加〕
図７において、例えば部屋２−１に機器として温度センサＴｎ＋１を追加したい場合がある。この場合、作業員は、携帯端末６を用いて追加したい温度センサＴｎ＋１の機器情報の設定を行う。以下、この携帯端末６を用いた温度センサの機器情報の設定について、図８に示すフローチャートを参照しながら具体的に説明する。
【００３１】
先ず、作業員は、図９に示すように、温度センサＴｎ＋１を追加しようとするフィールドバスＢＵＳ１の空スペースに携帯端末６を接続する（ステップ８０１）。そして、コントローラ１−１を経由し、ネットワーク３を介してデータベース７にアクセスし（ステップ８０２）、携帯端末６の画面に部屋２−１を含む平面図を表示させる（ステップ８０３）。
【００３２】
この部屋２−１を含む平面図の表示は、データベース７に格納されている図面情報を基に行われ、作業員は、拡大させたり、縮小させたり、スクロールするなどして、部屋２−１を含む平面図を携帯端末６の画面に表示させる。
【００３３】
図１０（ａ）に携帯端末６の画面に表示される部屋２−１を含む平面図の一例を示す。この例では、部屋２−１を含む平面図として、部屋２−１と部屋２−２とを合わせた平面図Ｇ１を表示させている。携帯端末６の画面には、平面図Ｇ１の外側に、温度センサを示す機器シンボルＳ１やポンプを示す機器シンボルＳ２やバルブを示す機器シンボルＳ３などが表示される。また、平面図Ｇ１には、部屋２−１や２−２に既に設置されている機器の機器シンボルが表示される。
【００３４】
作業員は、この平面図Ｇ１中に表示される機器シンボルから、既に設置されている機器の種類や設置位置を知ることができる。また、平面図Ｇ１中に機器シンボルが表示されているにも拘わらず、その機器シンボルに対応する機器が現場にないような場合、その機器が何らかの理由によって移動されていることを知ることができる。
【００３５】
〔機器情報の設定〕
作業員は、携帯端末６の画面上で、追加したい温度センサＴｎ＋１（所望の機器）に対応する機器シンボルを選択する。この場合、温度センサを示す機器シンボルＳ１を選択する。そして、平面図Ｇ１上に、選択した機器シンボルＳ１を移動させて（図１０（ｂ）参照）、部屋２−１における温度センサＴｎ＋１の設置位置（Ｘ，Ｙ）を特定する（ステップ８０４）。なお、この場合、図１０（ｃ）に示すように、平面図Ｇ１中に機器シンボルＳ１のコピーＳ１’が移動され、平面図Ｇ１の外側の機器シンボルＳ１は残る。
【００３６】
そして、作業員は、設置位置を特定した平面図Ｇ１上の温度センサＴｎ＋１に対応する機器シンボルＳ１’をダブルクリックする（ステップ８０５）。すると、携帯端末６は、温度センサの追加をネットワーク３を介してデータベース７へ知らせる（ステップ８０６：図１１参照）。データベース７は、携帯端末６からの温度センサの追加の知らせを受けて、追加された温度センサに対するアドレスを自動生成する。
【００３７】
このデータベース７におけるアドレスの自動生成は次のようにして行われる。データベース７はビル内に配置されている現在の各種機器のアドレス情報（ＩＰアドレス＋管理アドレス）を記憶している。携帯端末６からの温度センサの追加の知らせを受けると、データベース７は、現在の各種機器のアドレス情報を参照し、現在使用されている最後のＩＰアドレスの次のＩＰアドレスを自動生成し、この自動生成したＩＰアドレスを追加された温度センサに対するＩＰアドレスとする。また、追加された温度センサに対する管理アドレスとして、部屋を示すコード「ＲＲＲ」とポイントを示すコード「ＰＰＰ」を空白とした管理アドレスを自動生成する。この例では、ＩＰアドレスとして「ＩＰ００ｎ＋１」を、管理アドレスとして「００１．００１．？？？．？？？」を生成し、この生成したＩＰアドレスと管理アドレスとを合わせたものを追加された温度センサに対するアドレスとする。
【００３８】
データベース７において自動生成されたアドレスはネットワーク３を介して携帯端末６に返送される。携帯端末６は、データベース７から送られてくるアドレスを取得し（ステップ８０７）、取得したアドレスのうち管理アドレスを画面に表示する（ステップ８０８）。この管理アドレスにおいて、部屋を示すコード「ＲＲＲ」とポイントを示すコード「ＰＰＰ」は空白とされている。
【００３９】
作業員は、この管理アドレスに対し、「ＲＲＲ」に対応するコードと「ＰＰＰ」に対応するコードを入力し、管理アドレスを完成させる（ステップ８０９）。この例では、「ＲＲＲ」として部屋２−１を示すコード「００１」を入力し、「ＰＰＰ」として温度センサＴｎ＋１を示すコード「００ｎ＋１」を入力する。これにより、データベース７からのアドレスは、『「ＩＰ００ｎ＋１」（ＩＰアドレス）＋「００１．００１．００１．００ｎ＋１」（完成された管理アドレス）』となる。
【００４０】
そして、作業員は、追加したい温度センサＴｎ＋１に携帯端末６を向けて、発信ボタンを押す。すると、データベース７からのアドレス（ＩＰアドレス＋管理アドレス（完成された管理アドレス））が温度センサＴｎ＋１に送信され、温度センサＴｎ＋１に設定される（ステップ８１０：図１２参照）。また、これと同時に、携帯端末６は、平面図Ｇ１上で特定された温度センサＴｎ＋１の設置位置（Ｘ，Ｙ）と温度センサＴｎ＋１に設定したアドレスをネットワーク３を介してデータベース７に送る。これにより、温度センサＴｎ＋１に設定したアドレスがデータベース７内のアドレス情報に追加されると共に（ステップ８１１）、温度センサＴｎ＋１の設置位置（Ｘ，Ｙ）が温度センサＴｎ＋１に対して設定したアドレスと対応づけてデータベース７内の図面情報に書き込まれる（ステップ８１２）。
【００４１】
このようにして、温度センサＴｎ＋１に対するアドレスの設定と図面情報への温度センサＴｎ＋１の設置位置の書き込みが終了すると、すなわち温度センサＴｎ＋１の機器情報の設定が終了すると、携帯端末６の画面に表示されている平面図Ｇ１上の温度センサＴｎ＋１に対応する機器シンボルＳ１’の表示色が変わり、温度センサＴｎ＋１の機器情報の設定が終了したことを知らせる。
【００４２】
〔追加した機器の接続確認〕
温度センサＴｎ＋１の機器情報の設定が終了すると、作業員は、携帯端末６をフィールドバスＢＵＳ１から外し、携帯端末６に代えて温度センサＴｎ＋１をフィールドバスＢＵＳ１の空スペースに接続する。すると、図１３に示すように、温度センサＴｎ＋１からネットワーク３を介して管理装置４にセットアップ信号が送られる。このセットアップ信号には温度センサＴｎ＋１に設定されたアドレス（ＩＰアドレス＋管理アドレス）が付加されている。
【００４３】
管理装置４は、温度センサＴｎ＋１からのセットアップ信号を受けて、このセットアップ信号に付加されているアドレスをデータベース７へ送り、データベース７から温度センサＴｎ＋１の設置位置を含む図面を取得し、表示する。この際、その図面中、温度センサＴｎ＋１とフィールドバスＢＵＳ１とを実線で結び、温度センサＴｎ＋１がフィールドバスＢＵＳ１に接続されたことを知らせる。
【図面の簡単な説明】
【００４４】
【図１】本発明に係る機器情報設定方法を実施したビル管理システムの一例（実施の形態１（ネットワーク稼働前））を示すシステム構成図である。
【図２】このシステムにおける携帯端末を用いた機器情報の設定について説明するためのフローチャートである。
【図３】エンジニアリングツールから携帯端末に図面情報とアドレス情報をダウンロードしている状況を示す図である。
【図４】機器が設置されている部屋に作業員が赴いた状態を示す図である。
【図５】携帯端末の画面上に機器シンボルを移動させての機器の設置位置の特定を説明する図である。
【図６】携帯端末に表示されるアドレス指定表およびこのアドレス指定表から選択指定されるアドレスの実際の機器への設定ならびにそのアドレスに対応づけた図面情報への機器の設置位置の書き込みを説明する図である。
【図７】本発明に係る機器情報設定方法を実施したビル管理システムの他の例（実施の形態２（ネットワーク稼働中））を示すシステム構成図である。
【図８】このシステムにおける携帯端末を用いた機器情報の設定について説明するためのフローチャートである。
【図９】このシステムにおいてフィールドバスの空スペースに携帯端末を接続した状態を示す図である。
【図１０】携帯端末の画面上に機器シンボルを移動させての機器の設置位置の特定を説明する図である。
【図１１】このシステムにおいて機器が追加された場合のデータベースでのアドレスの自動生成を説明する図である。
【図１２】携帯端末からの実際の機器へのアドレスの設定およびデータベース内のアドレス情報へのアドレスの追加ならびにそのアドレスに対応づけたデータベース内の図面情報への機器の設置位置の書き込みを説明する図である。
【図１３】管理装置での追加した機器の接続確認を説明する図である。
【図１４】従来の機器情報設定方法を説明するためのビル内に構築されたビル管理システムの要部を示す図である。
【符号の説明】
【００４５】
１−１，１−２…コントローラ、２−１，２−２…部屋、３…ネットワーク、４…管理装置、５…エンジニアリングツール（パソコン）、６…携帯端末、７…データベース、Ｔ１〜Ｔ４，Ｔｎ＋１…温度センサ、ＢＵＳ１，ＢＵＳ２…フィールドバス、Ｓ１，Ｓ２，Ｓ３…機器シンボル、Ｇ１…平面図、Ｆ１…アドレス指定表。
【図１】
2005157837.tif 000003
【図２】
2005157837.tif 000004
【図３】
2005157837.tif 000005
【図４】
2005157837.tif 000006
【図５】
2005157837.tif 000007
【図６】
2005157837.tif 000008
【図７】
2005157837.tif 000009
【図８】
2005157837.tif 000010
【図９】
2005157837.tif 000011
【図１０】
2005157837.tif 000012
【図１１】
2005157837.tif 000013
【図１２】
2005157837.tif 000014
【図１３】
2005157837.tif 000015
【図１４】
2005157837.tif 000016